(57)【要約】【課題】ＤＩＮレールと取付パネルとのいずれにも設置可能な制御機器及びその取付具を提供する。を提供する。【解決手段】制御機器１の背面ＲにはＤＩＮレール用の溝１０が形成され、また、制御機器１の前面Ｆに隣接した部分に周囲溝１８が形成されている。矩形枠２０は、２つの制御機器１、２の周囲溝１８に設置され、この矩形枠２０によって２つの制御機器１、２の前面近傍に周囲フランジが形成される。固定部材３０は、制御機器１、２の連続するＤＩＮレール用溝１０、１０に設置され、この固定部材３０のボルト３３を締結方向に回転させることで、ボルト３３の先端と矩形枠２０とで取付パネル３６に２つの制御機器１、２を隣合わせの状態で設置することができる。【選択図】      図１
2004200489.tif 000002
【特許請求の範囲】
【請求項１】
ＤＩＮレールと取付パネルとに選択的に取り付け可能な制御機器であって、
該制御機器の前面の近傍に形成され、後付けの枠体を収容することのできる溝と、
前記制御機器の背面に設けられたＤＩＮレール用溝とを含み、
前記枠体を前記溝に収容したときに、前記制御機器の前面の近傍にフランジが形成され、該フランジと、前記ＤＩＮレール用溝に固定可能であり且つ該ＤＩＮレールレール用溝に固定されたときに前記取付パネルを押圧可能な固定部材とで前記取付パネルを挟持させることで、前記制御機器を前記取付パネルに固定可能であり、また、前記ＤＩＮレール用溝を用いてＤＩＮレールに固定可能であることを特徴とする制御機器。
【請求項２】
前記溝が、前記制御機器の周囲に連続して延びている、請求項１に記載の制御機器。
【請求項３】
前記後付けの枠体が、複数の制御機器の溝によって形成される連続した溝に収容可能な大きさを有し、前記固定部材が前記複数の制御機器の連続したＤＩＮレールに固定されて、これにより、複数の制御機器を互いに隣合わせの状態で前記取付パネルに固定可能である、請求項１又は２に記載の制御機器。
【請求項４】
前記制御機器が、前記固定部材と干渉しない面にコネクタ開口を有する、請求項１〜３のいずれか一項に記載の制御機器。
【請求項５】
ＤＩＮレールと取付パネルとに選択的に取り付け可能な制御機器の取付具であって、
該制御機器が、その前面の近傍に形成された溝と、背面に設けられたＤＩＮレール用溝とを含み、
前記制御機器の前面の近傍に形成された溝に収容可能であり且つ該溝に収容されたときに該制御機器から突出するフランジを形成する枠体と、
前記制御機器の背面に形成したＤＩＮレール用溝に固定可能な固定部材であって、該固定部材は、前記ＤＩＮレール用溝に固定されたときに、前記取付パネルの背面を押圧して、該固定部材と前記枠体とで前記取付パネルを挟持することにより前記制御機器を前記取付パネルに固定可能であり、また、前記ＤＩＮレール用溝を用いてＤＩＮレールに固定可能であることを特徴とする制御機器用取付具。
【請求項６】
前記枠体が複数の制御機器の前面の近傍に形成された連続する溝に収容可能な大きさを有し、また、前記固定部材が、前記複数の制御機器の背面の連続するＤＩＮレール用溝で固定可能な大きさを有する、請求項５に記載の制御機器用取付具。
【請求項７】
前記固定部材が、前記取付パネルの背面に向けて前進可能なボルトを含む、請求項５又は６に記載の制御機器用取付具。
【請求項８】
前記固定部材が、前記取付パネルの背面に向けて弾発的に付勢された付勢手段を含む、請求項５又は６に記載の制御機器用取付具。
【発明の詳細な説明】
【０００１】
【発明の属する技術分野】
この発明はセンサなどの制御機器及びその取付具に関する。
【０００２】
【従来の技術】
様々な制御機器を制御盤などに取り付けるのに、大別して２つのやり方が知られている。第１の方法は、特開平５−４８２７８号公報に開示のように、ＤＩＮレールを用いる方法であり、第２の方法は、特開平９−３６５５５号公報、特開平６−１３７６９号公報に開示のように、制御盤などのパネルに直接的に取り付ける方法である。
【０００３】
【特許文献１】
特開平５−４８２７８号公報
【０００４】
この特開平５−４８２７８号公報は、その従来技術の欄で、ブレーカー等の機器を分電盤内のＤＩＮ規格のレールに取り付けることが従来から行われていることを開示し、また、機器の背面に形成されたＤＩＮレール収容溝に向けて、これを横断する方向に出没可能な爪片を用意し、この爪片をバネ付勢する構造を開示している。
【０００５】
【特許文献２】
特開平９−３６５５５号公報
【０００６】
この特開平９−３６５５５号公報は、制御機器を制御盤などのパネルの開口に取り付けることに関する技術を開示している。すなわち、制御機器の前面近傍に周囲フランジを設け、この制御機器をパネル開口の前方から挿入して、周囲フランジをパネル開口縁に係合させると共に、別途用意した枠を制御機器に固定して、この枠を貫通する締結ネジでパネルの背面を押し付けることにより制御機器をパネルに設置することを提案している。これによれば、制御機器の周囲フランジと締結ネジとでパネルを挟み込むことで制御機器がパネル開口に固定される。
【０００７】
【特許文献３】
特開平６−１３７６９号公報
【０００８】
この特開平６−１３７６９号公報は、上記特開平９−３６５５５号公報と同様に、タイマやカウンタなどの制御機器の周囲フランジと締結ネジとを用いて制御盤などのパネル開口に固定することを開示している。
【０００９】
【発明が解決しようとする課題】
従来の制御機器は、パネルに取り付けるタイプと、ＤＩＮレールに取り付けるタイプとに分類されて製造されていた。また、パネルに取り付けるタイプは、上述したように、制御機器の前面近傍に外方に向けて突出した周囲フランジを備えているため、パネル開口には、その前方から制御機器を挿入する必要があり、この制御機器に対する結線作業は、パネル開口に制御機器を挿入した後に行う必要があった。
【００１０】
本発明の目的は、ユーザに制約を課していた従来の制御機器の設置のやり方を見直し、ユーザが当初はＤＩＮレールに設置する予定で制御機器を購入した後、例えばラインの変更などで制御盤に取り付けた方が便宜である場合に、これに直ちに対応可能な制御機器及びその取付具を提供することにある。
【００１１】
本発明の他の目的は、複数の制御機器を制御盤などに取り付ける場合、これら複数の制御機器を隣接した状態で設置可能な制御機器及びその取付具を提供することにある。
【００１２】
本発明の更なる目的は、制御機器を制御盤などに取り付ける場合、この制御機器を結線した状態で設置作業を行うことのできる制御機器及びその取付具を提供することにある。
【００１３】
【課題を解決するための手段】
かかる技術的課題は、本発明の第１の観点によれば、
ＤＩＮレールと取付パネルとに選択的に取り付け可能な制御機器であって、
該制御機器の前面の近傍に形成され、後付けの枠体を収容することのできる溝と、
前記制御機器の背面に設けられたＤＩＮレール用溝とを含み、
前記枠体を前記溝に収容したときに、前記制御機器の前面の近傍にフランジが形成され、該フランジと、前記ＤＩＮレール用溝に固定可能であり且つ該ＤＩＮレールレール用溝に固定されたときに前記取付パネルを押圧可能な固定部材とで前記取付パネルを挟持させることで、前記制御機器を前記取付パネルに固定可能であり、また、前記ＤＩＮレール用溝を用いてＤＩＮレールに固定可能であることを特徴とする制御機器を提供することにより達成される。
【００１４】
本発明の第２の観点によれば、
ＤＩＮレールと取付パネルとに選択的に取り付け可能な制御機器の取付具であって、
該制御機器が、その前面の近傍に形成された溝と、背面に設けられたＤＩＮレール用溝とを含み、
前記制御機器の前面の近傍に形成された溝に収容可能であり且つ該溝に収容されたときに該制御機器から突出するフランジを形成する枠体と、
前記制御機器の背面に形成したＤＩＮレール用溝に固定可能な固定部材であって、該固定部材は、前記ＤＩＮレール用溝に固定されたときに、前記取付パネルの背面を押圧して、該固定部材と前記枠体とで前記取付パネルを挟持することにより前記制御機器を前記取付パネルに固定可能であり、また、前記ＤＩＮレール用溝を用いてＤＩＮレールに固定可能であることを特徴とする制御機器用取付具を提供することにより達成される。
【００１５】
【発明の実施の形態】
本発明に従う制御機器は、その背面のＤＩＮレール用溝を用いて、従来と同様にＤＩＮレールに固定することができる。本発明の好ましい実施の形態では、枠体が、２以上の複数の制御機器を隣り合わせで配置したときに、その全ての制御機器を包囲することのできる大きさを有している。また、ＤＩＮレール用溝に固定可能な固定部材にあっても、隣り合わせで配置した複数の制御機器の連続するＤＩＮレール用溝に係合する大きさを有している。これによれば、複数の制御機器を隣り合わせの状態で制御盤などの取付パネルに設置することができる。
【００１６】
また、本発明の実施の形態では、制御機器にコネクタ開口を有し、このコネクタ開口を介して電源ケーブルなどが接続されるが、このコネクタ開口は、制御機器の上記固定部材と干渉しない面に配置される。好ましい実施の形態では、固定部材は、制御機器を包囲する形状を有しているが、この固定部材は、制御機器のコネクタ開口の部分を切り欠いた形状を有している。
本発明の上記目的及び他の目的並びに作用効果は、本発明の好ましい実施例の説明から明らかになろう。
【００１７】
【実施例】
添付の図面を参照して本発明の好ましい実施例を以下に詳しく説明する。なお、本発明の好ましい実施例として、各種センサ、タイマ、カウンタなどの制御機器を２つ並べて配置する場合を例示するが、その数は制限されるものではなく、２以上の制御機器を並べて配置する場合にも本発明を適用することは勿論である。
【００１８】
第１実施例（図１〜図４）
図示の参照符号１、２は第１、第２の制御機器を示し、この２つの制御機器１、２は、共に同じ外観形状であり、ほぼ直方体の形状を有する。したがって、これら第１、第２の制御機器１、２の説明において、第１制御機器１を代表して説明を加えることとし、第２制御機器２に含まれる同一の要素には同一の参照符号を付すことにより、その説明を省略する。
【００１９】
制御機器１は、その前面Ｆに、７セグメントＬＥＤや液晶などの表示部及びユーザがアクセス可能なスイッチなどの操作部を有する（図４）。この表示部や操作部は、作図上、図面には現れていない。制御機器１の一方の端面３には、電源ケーブル５が接続可能なコネクタ開口（図面には作図上の理由から現れていない）が形成され、他方の端面４には、例えばセンサ本体（図示せず）や外部機器との接続ケーブル６のコネクタ７がアクセス可能なコネクタ開口８が形成されている。
【００２０】
制御機器１の背面Ｒには、これを横断する方向に延びるＤＩＮレール用の溝１０が形成されている。すなわち、ＤＩＮレール用溝１０は、制御機器１のコネクタ開口８が設けられていない２つの面つまり両側面１１に亘って延びており、ＤＩＮレール用溝１０を形成する壁１３、１４のうち、一方の壁１３には、溝１０に向けて突出する一対の固定爪１５が形成されている。この固定爪１５は、ＤＩＮレール用固定手段の一部を構成するものであり、他に、ＤＩＮレース用溝１０の他方の壁１４には、スライダ爪１７が溝１０を横断する方向に出没可能に設けられており、このスライダ爪１７は図外のバネにより、溝１０に突出する方向に付勢されている。このＤＩＮレールレール用溝１０、固定爪１５、スライダ爪１７を用いて制御機器１をＤＩＮレールに取り付ける機構は特開平５−４８２７６号に開示の機構と基本的には実質的に同一であるので、その詳細な説明は省略する。
【００２１】
制御機器１の前面Ｆに隣接した部分、つまり、制御機器１の両端面３、４及び両側面１１の前端部分（制御機器１の前面Ｆに隣接した部分）には、これら各面３、４、１１を横断して連続的に延びる周囲溝１８が形成されている。
【００２２】
図１の参照符号２０は、２つの制御機器１、２を包囲することのできる矩形枠を示す。この矩形枠２０は、プラスチック成型品であり、その一辺２１の一端と、これに隣接した辺２２とのコーナ部分２３が薄肉化されている。矩形枠２０の一辺２１は、薄肉化されたコーナ部分２３によって開放可能である。矩形枠２０の他端つまり開放端には、これに隣接した辺２４に向けて屈曲して延びる延長片２５が設けられ、この延長片２５の先端には爪２６が形成されている。
【００２３】
この延長片２５と重なり合う辺２４の端部には、爪２６と係合可能な係止溝２７が形成されており、延長片２５の爪２６を係止溝２７に係合させることにより、矩形枠２０は連続した矩形の形状となる。他方、延長片２５の爪２６を係止溝２７から離脱させたときには、図１に図示したように、辺２１はコーナ部分２３を中心にして倒れて、対向辺２４から離れることができる。
【００２４】
図２の参照符号３０は固定部材を示す。この固定部材３０は、２つの制御機器１、２のＤＩＮレール用溝１０に沿って延び且つこの溝１０に収容可能な形状に作られており、この固定部材３０の両側面には、フランジ３１（作図上の理由から一方のフランジだけが図面に現れており、他方のフランジは現れていない）が形成され、このフランジ３１の両端には起立したストッパ壁３２が形成されている。この一対のストッパ壁３２の間隔は、２つの制御機器１、２を横並びにしたときに、その両端に位置する固定爪１５ａ、１５ｂの間隔と同じである。
【００２５】
図１において図面に現れているフランジ３１は固定爪１５と係合し、図面に現れていない他方のフランジ３１はスライダ爪１７と係合する。
【００２６】
固定部材３０は、その両端にボルト３３を有し、このボルト３３は、固定部材３０に回転不能に設けられたナット３４に螺合しており、ボルト３３を締結方向に回転させるとボルト３３の先端を前進させることができ、逆方向に回転させるとボルト３３の先端を退却させることができる。
【００２７】
上述した矩形枠２０と固定部材３０は例えば制御盤のパネル３６に２つの制御機器１、２を隣り合わせの状態で取り付けるための手段を構成する。
【００２８】
取付パネル３６に対する制御機器１、２の固定方法について説明すると、取付パネル３６には、２つの制御機器１、２を隣り合わせにした状態で収容可能な開口３７が設けられる。この２つの制御機器１、２をパネル開口３７に取り付けるには、任意であるが、制御機器１、２をパネル開口３７の背面Ｒ側から挿入して、制御機器１、２の前面Ｆ側をパネル開口３７から前方に突出させ、次いで、制御機器１、２の前面Ｆに隣接した溝１８に矩形枠２０を装着する。矩形枠２０は、制御機器１、２に装着したときには、制御機器１、２の周囲に亘って延び且つ外部に向けて突出した周囲フランジを形成する。
【００２９】
他方、制御機器１、２の背面Ｒには、ＤＩＮレール用溝１０に固定部材３０を装着し（図２）、一対のボルト３３を締結方向に回転させる。これにより、ボルト３３の先端が取付パネル３６の背面に向けて前進し、やがて取付パネル３６を押圧する。矩形枠２０とボルト３３の先端とで取付パネル３６を挟み込むことで、制御機器１、２を両隣に並んだ状態で取付パネル３６に固定することができる（図３）。
【００３０】
制御機器１、２を個々に分離して取付パネル３６に固定するには、固定部材３０の長さ寸法を短縮した単体用の固定部材を用意し、また、矩形枠２０についても、制御機器１又は２の周囲溝１８に適合する形状の単体用矩形枠を用意して、上述したのと同様に制御機器１又は２を独立して取付パネル３６に固定することができる。
【００３１】
制御機器１又は２は、従来と同様の手法により、ＤＩＮレール用溝１０、固定爪１５、スライド爪１７を用いて、図４に示すように、個々に独立してＤＩＮレール３８に取り付けることができる（図４）。
【００３２】
また、上記の説明から理解できるように、この実施例によれば、制御機器１、２に後付けで矩形枠２０を装着して、制御機器１、２の前面Ｆの近傍にフランジを形成するようにしてあることから、取付パネル３６に対して背面Ｒ側から装着することができ、従って、制御機器１、２に電源ケーブル５や接続ケーブル６をコネクタ接続した状態で取付パネル３６の開口３７に固定することができる。
【００３３】
また、ＤＩＮレール用溝１０の延び方向と直交して互いに対向する壁３、４にコネクタ開口８が設けられているため、制御機器１、２を隣り合わせにした状態で設置することができ、制御機器１、２が占める取付パネル３６の占有面積を必要最小限の大きさに抑えることができる。
【００３４】
第２実施例（図５、図６）
この第２実施例は、上述した第１実施例の固定部材３０が異なっており、他は同一であるので、第１実施例と同一の要素には同一の参照符号を付すことにより同一部分の説明を省略し、以下に、この第２実施例の特徴部分を説明する。
【００３５】
この第２実施例に含まれる固定部材４０は、図５から理解できるように、第１部材４１と第２部材４２の２つのプラスチック成型部品から構成されている。第１部材４１は、固定部材４０のベースを構成するものであり、このベース部材４１には、２つの制御機器１、２を重ね合わせて配置したときに、その両側面１１、１１を挟み込む一対の外壁４５、４５を有し、この外壁４５、４５間には、ＤＩＮレール用溝１０に収容され且つ固定爪１５とスライド爪１７とに係合するフランジ４６が形成されている。
【００３６】
一対の外壁４５の外面には、夫々、その中央部分に、一対の蟻溝４６が形成され、また、この蟻溝４６に挟まれた部分にラチェット歯４７が形成されている（図面には、一方側の外壁４５のラチェット歯だけが図示され、作図上の理由から他方の外壁４５にはラチェット歯が現れていない）。
【００３７】
第２部材４２は、ベース部材つまり第１部材４１に嵌り込む外枠を構成するものであり、この外枠部材４２は、制御機器１、２の端面３、４に対面する端壁４９に、制御機器１、２のコネクタ開口８を露出することができるように大きく切り欠いた開口５０を有し、この開口５０は、ベース部材４１側に向けて開放している。
【００３８】
外枠部材４２は、一対の端壁４９の端同士を連結する一対の側壁５２を有し、この側壁５２には、ベース部材４１の蟻溝４６に対応する部分に、蟻溝４６と相補的な形状を有する一対の突条５３、５３と、ベース部材４１のラチェット歯４７と係合する係止爪５４と、この係止爪４８に関連して配置された付勢手段５５とが形成されている。
【００３９】
付勢手段５５は、ベース部材４１側に向けて左右に広がる一対の脚５７と、この一対の脚５５の合流部分に形成されたアーム５８とを含む。
【００４０】
この第２実施例によれば、上述した第１実施例と実質的に同一の作用効果を奏することができるが、第２実施例に含まれる固定部材４０を用いて、２つの制御機器１、２を隣り合わせの状態でパネル開口３７に取り付けるときには、ベース部材４１をＤＩＮレール用溝１０に固定し、次いで、このベース部材４１に外枠部材４２を嵌め込むことで、この外枠部材４２の一対の脚５５が取付パネル３６の背面と係合し、この脚５５の弾発力によって取付パネル３６を押圧する。これにより、一対の脚５５と、２つの制御機器１、２の連続した溝１８に装着した矩形枠２０とで取付パネル３６を挟持し、２つの制御機器１、２を隣り合わせの状態でパネル開口３７に固定することができる。
【図面の簡単な説明】
【図１】本発明の第１実施例の制御機器及びその取付具の各要素を示す斜視図である。
【図２】図１の取付具に含まれる固定部材を制御機器の背面のＤＩＮレール用溝に設置した状態を示す斜視図である。
【図３】図１の取付具を用いて制御盤などの取付パネルに制御機器を固定した一部切欠き側面図である。
【図４】図１に示す制御機器のＤＩＮレール用溝を用いて、従来と同様にＤＩＮレールに設置した状態を示す斜視図である。
【図５】本発明の第２実施例の制御機器及びその取付具の各要素を示す斜視図である。
【図６】図５の取付具に含まれる固定部材を制御機器の背面のＤＩＮレール用溝に設置した状態を示す斜視図である。
【符号の説明】
１、２    制御機器
８      コネクタ開口
１０      ＤＩＮレール用溝
１８      周囲溝
２０      矩形枠
３８      ＤＩＮレール
３０、４０    固定部材
【図１】
2004200489.tif 000003
【図２】
2004200489.tif 000004
【図３】
2004200489.tif 000005
【図４】
2004200489.tif 000006
【図５】
2004200489.tif 000007
【図６】
2004200489.tif 000008